(57)【要約】【課題】放送予定の番組の中から推奨される番組をユーザー別に抽出する。【解決手段】放送番組に関する各種の番組属性情報を取得し、供給する放送番組属性情報供給手段５１と、ユーザー特定手段９３と、過去に記録した記録番組とこの記録番組に関連付けられたユーザーとを特定する記録番組特定情報を記憶する記録番組特定情報記憶手段５２と、特定されたユーザーについての記録番組特定情報を記録番組特定情報記憶手段５２から読み出し、読み出された記録番組特定情報により特定される放送番組に関する各種の番組属性情報を放送番組属性情報供給手段５１から抽出する記録番組属性情報抽出手段５３と、放送予定の各番組について、記録番組属性情報抽出手段５３により抽出された番組属性情報の出現回数に基づくポイントｈを用いて推奨値を算出し、推奨値が所定の条件を満たす番組を推奨番組として抽出する推奨番組抽出手段５４とを有する。【選択図】        図２
2006191273.tif 000002
【特許請求の範囲】
【請求項１】
放送予定の番組の中から推奨される番組を抽出する推奨番組抽出装置において、
放送番組に関する各種の番組属性情報を取得し、供給する放送番組属性情報供給手段と、
ユーザーを特定するユーザー特定手段と、
過去に記録した記録番組とこの記録番組に関連付けられたユーザーとを特定する記録番組特定情報を記憶する記録番組特定情報記憶手段と、
上記ユーザー特定手段により特定されたユーザーについての上記記録番組特定情報を上記記録番組特定情報記憶手段から読み出し、上記読み出された記録番組特定情報により特定される放送番組に関する各種の番組属性情報を上記放送番組属性情報供給手段から抽出する記録番組属性情報抽出手段と、
放送予定の各番組について、上記記録番組属性情報抽出手段により抽出された上記番組属性情報の出現回数に基づくポイントを用いて推奨値を算出し、上記推奨値が所定の条件を満たす番組を推奨番組として抽出する推奨番組抽出手段と
を有することを特徴とする推奨番組抽出装置。
【請求項２】
上記推奨番組抽出手段が、予め番組属性情報毎に決められた重み付け係数を保持し、
上記推奨番組抽出手段による上記推奨値の算出が、上記ポイントと上記重み付け係数に基づいて実行される
ことを特徴とする請求項１に記載の推奨番組抽出装置。
【請求項３】
上記番組属性情報は、放送番組の放送年月日、種別、番組名、放送開始時刻、放送終了時刻、チャンネル、及び出演者の中の一つ以上の情報を含むことを特徴とする請求項１又は２のいずれかに記載の推奨番組抽出装置。
【請求項４】
上記記録番組特定情報は、過去に記録した記録番組の放送年月日、放送開始時刻、放送終了時刻、チャンネル、及びユーザーの情報を含むことを特徴とする請求項１から３までいずれかに記載の推奨番組抽出装置。
【請求項５】
上記放送番組属性情報供給手段が取得する番組属性情報は、放送電波により受信されたデータ、通信回線を経由して受信されたデータ、及び、記録媒体から読み取られたデータのいずれかであることを特徴とする請求項１から４までのいずれかに記載の推奨番組抽出装置。
【請求項６】
上記記録番組属性情報抽出手段により抽出された番組属性情報は、直近の予め決められた期間内における記録番組についての番組属性情報であることを特徴とする請求項１から５までのいずれかに記載の推奨番組抽出装置。
【請求項７】
上記記録番組属性情報抽出手段により抽出された番組属性情報は、直近の予め決められた番組数の記録番組についての番組属性情報であることを特徴とする請求項１から５までのいずれかに記載の推奨番組抽出装置。
【請求項８】
上記推奨番組抽出手段により抽出された抽出結果を表示する又はモニターに表示させる抽出結果表示手段をさらに有することを特徴とする請求項１から７までのいずれかに記載の推奨番組抽出装置。
【請求項９】
上記ユーザー特定手段は、ユーザーを特定するユーザー番号の入力手段を含むことを特徴とする請求項１から８までのいずれかに記載の推奨番組抽出装置。
【請求項１０】
上記ユーザー特定手段は、指紋を認証することによってユーザーを特定する入力手段を含むことを特徴とする請求項１から８までのいずれかに記載の推奨番組抽出装置。
【請求項１１】
上記ユーザー特定手段は、ユーザーを撮影することによって得られた画像データを処理することによってユーザーを特定する入力手段を含むことを特徴とする請求項１から８までのいずれかに記載の推奨番組抽出装置。
【請求項１２】
上記ユーザー特定手段は、推奨番組抽出装置に接続されたモニターの初期画面にユーザーアイコンを表示させ、上記表示されたユーザーアイコンの中から本人アイコンを選択する操作をすることによってユーザーを特定するように構成されたことを特徴とする請求項１から８までのいずれかに記載の推奨番組抽出装置。
【請求項１３】
上記ユーザー特定手段により特定されたユーザーを変更するユーザー訂正手段をさらに有することを特徴とする請求項１から１２までのいずれかに記載の推奨番組抽出装置。
【請求項１４】
上記記録番組を記録媒体に記録する番組記録手段と、
記録媒体に記録された番組を再生する再生手段と
をさらに有することを特徴とする請求項１から１３までのいずれかに記載の推奨番組抽出装置。
【発明の詳細な説明】
【技術分野】
【０００１】
本発明は、放送予定の番組の中から推奨される番組（例えば、録画推奨番組又は視聴推奨番組）を抽出する推奨番組抽出装置に関するものである。
【背景技術】
【０００２】
放送番組の録画装置として、過去に録画した番組の録画履歴の中から番組情報を読み出し、この読み出した番組情報と同じ情報を持つ番組を放送予定情報の中から検索し、この検索結果に基づいて予約録画するものがある（例えば、特許文献１参照）。また、他の録画装置として、ユーザーの操作履歴からユーザーの嗜好を把握し、ユーザーの嗜好に適合する番組を検索し、この検索結果に基づいて予約録画するものがある（例えば、特許文献２参照）。さらに他の録画装置として、ユーザーが録画予約を希望する番組の条件を予め指定し、放送予定情報を定期的に検索し、条件に当てはまる番組を自動的に録画するものがある（例えば、特許文献３参照）。
【０００３】
【特許文献１】特開２００１−２５７９７４号公報（段落００２９−００３１、図１）
【特許文献２】特開２００１−８６４２０号公報（段落００５６−００５７、図１、図１２）
【特許文献３】特開平７−１２１９３５号公報（段落００１４−００１６、図１）
【発明の開示】
【発明が解決しようとする課題】
【０００４】
しかしながら、特許文献１に開示された録画装置では、過去に録画した番組の番組情報と番組情報が「一致」した放送番組を録画予約できるだけであり、ユーザーの嗜好は過去に録画した番組の番組情報と必ずしも一致するものではないので、ユーザーの嗜好に合った番組を適切に抽出して録画予約することはできないという問題があった。
【０００５】
また、特許文献２に開示された録画装置は、ユーザーによる番組選択、視聴、録画、録画予約、録画した番組の削除等の各操作に応じて正又は負の点数を与える（即ち、操作を点数化する）ことによって嗜好の度合いを判断するので、ユーザーによる各種操作についての情報処理を行う必要があり、複雑な情報処理のためのプログラムの格納に大きなメモリ領域を必要とするという問題があった。さらに、特許文献２には、点数化された嗜好度合いから如何にして録画する番組を抽出するかについて、「なにを自動継続して自動録画をするかは複数のパターンが考えられる。例えば同一のシリーズ、同一のジャンル、同一の出演者、同一の作家、監督などである。（段落００５７）」と記載されているだけであり、具体的な自動録画のアルゴリズムについては何も示されていない。
【０００６】
また、特許文献３に開示された録画装置では、録画条件として番組種別又は出演者等の情報を予めユーザーが入力する必要があり、録画を希望する番組の条件が変わった場合は、その都度、ユーザーが録画条件を変更して再入力するという操作が必要であり、手間がかかるという問題があった。
【０００７】
さらに、上記した従来の装置では、複数のユーザーが１台の録画装置を共用する場合に、すべてのユーザーが記録した番組情報を元に推奨番組が抽出されていた。この抽出された推奨番組情報は、今現在、装置を使用しているユーザーにとって殆んど不要な情報をも含むものであり、ユーザーを混乱させる情報となり得る。言い換えれば、録画装置を共用するすべてのユーザーの過去に記録した番組情報から推奨番組情報が抽出されるので、今現在、装置を使用しているユーザーが最も必要とする抽出情報が他のユーザーが必要とする抽出情報に埋もれてしまうことがあり、推奨番組の抽出機能が利用価値の無い機能になることがあるという問題があった。
【０００８】
本発明は、上記したような従来の課題を解決するためになされたものであり、放送予定の番組の中から推奨される番組をユーザー別に抽出することができる推奨番組抽出装置を提供することを目的とする。
【課題を解決するための手段】
【０００９】
本発明の推奨番組抽出装置は、放送予定の番組の中から推奨される番組を抽出する装置であって、放送番組に関する各種の番組属性情報を取得し、供給する放送番組属性情報供給手段と、ユーザーを特定するユーザー特定手段と、過去に記録した記録番組とこの記録番組に関連付けられたユーザーとを特定する記録番組特定情報を記憶する記録番組特定情報記憶手段と、上記ユーザー特定手段により特定されたユーザーについての上記記録番組特定情報を上記記録番組特定情報記憶手段から読み出し、上記読み出された記録番組特定情報により特定される放送番組に関する各種の番組属性情報を上記放送番組属性情報供給手段から抽出する記録番組属性情報抽出手段と、放送予定の各番組について、上記記録番組属性情報抽出手段により抽出された上記番組属性情報の出現回数に基づくポイントを用いて推奨値を算出し、上記推奨値が所定の条件を満たす番組を推奨番組として抽出する推奨番組抽出手段とを有するものである。
【発明の効果】
【００１０】
本発明によれば、複数のユーザーが番組を記録するための１台の装置を共用している場合であっても、放送予定の番組の中から推奨される番組をユーザー別に抽出して提供することができるという効果がある。
【発明を実施するための最良の形態】
【００１１】
実施の形態１．
図１は、本発明の実施の形態１に係る推奨番組抽出装置１の構成を概略的に示すブロック図である。図１に示されるように、実施の形態１に係る推奨番組抽出装置１は、外部のアンテナ２に接続されたＴＶ（テレビ）チューナ５と、Ａ／Ｄ（アナログ／デジタル）変換器６と、ＭＰＥＧ（Ｍｏｖｉｎｇ  Ｐｉｃｔｕｒｅ  Ｅｘｐｅｒｔｓ  Ｇｒｏｕｐ）エンコーダ７と、記録用バッファ８と、電子番組情報（ＥＰＧ（Ｅｌｅｃｔｒｉｃ  Ｐｒｏｇｒａｍ  Ｇｕｉｄｅ）情報）を抽出するスライサー９と、ＣＰＵ（中央処理装置）１０と、ＨＤＤ（ハードディスクドライブ）コントローラ１１と、ＨＤＤ１２と、リモコン（遠隔操作装置）３からの信号を受信するリモコンＩ／Ｆ（インターフェース）１６と、不揮発性メモリ１９と、ユーザーによる操作部２０とを有している。また、推奨番組抽出装置１は、読み出し用バッファ１５と、ＭＰＥＧデコーダ１４と、ＯＳＤ（Ｏｎ−Ｓｃｒｅｅｎ  Ｄｉｓｐｌａｙ）１８と、モニター４にアナログ映像信号を出力するＤ／Ａ（デジタル／アナログ）変換器１７と、揮発性メモリ１３とを有している。図１に示されるように、実施の形態１においては、推奨番組抽出装置１が、ハードディスク記録再生装置である場合を説明しているが、推奨番組抽出装置１は、ＤＶＤ又は磁気テープ等の他の情報記録媒体を用いた記録装置、又は、パーソナルコンピュータ等のような他の装置であってもよい。また、推奨番組抽出装置１がパーソナルコンピュータである場合には、実施の形態１の推奨番組抽出処理を実行可能にするためのソフトウェアプログラムを記録した情報記録媒体を用いて、又は、通信回線を介してのダウンロードにより、パーソナルコンピュータにソフトウェアをインストールすることによって、本発明の推奨番組抽出処理を実行可能にすることができる。また、推奨番組抽出装置１が受信する放送番組は、アンテナにより受信されるものに限らず、インターネットやＬＡＮを経由して受信された放送番組であってもよい。
【００１２】
図１において、ＴＶチューナ５は、アンテナ２を介して放送番組（放送信号）を受信する。ＴＶチューナ５は、指定されたチャンネルに同調する機能を有し、同調したチャンネルの映像信号及び音声信号をＡ／Ｄ変換器６へ出力する。Ａ／Ｄ変換器６は、ＴＶチューナ５からのアナログ映像信号及び音声信号をデジタル信号に変換する。ＭＰＥＧエンコーダ７は、デジタル化されたデジタル映像信号に対しＭＰＥＧによる圧縮処理を行い、圧縮されたデータであるビットストリームを出力する。ＨＤＤ１２は、ＭＰＥＧエンコーダ７が出力するビットストリームの蓄積を行う。ＨＤＤコントローラ１１は、ＨＤＤ１２を制御するためのコントローラであって、ビットストリームの書き込み及び読み出しを制御する。記録用バッファ８は、ビットストリームをＨＤＤ１２に書き込む際に、ＭＰＥＧエンコーダ７が出力するビットストリームが欠けることなく記録できるように設けられたバッファである。
【００１３】
ＭＰＥＧデコーダ１４は、ＭＰＥＧ圧縮されたビットストリームの復号化を行い、非圧縮なデジタル映像信号に変換する。読み出し用バッファ１５は、ＭＰＥＧデコーダ１４が必要とするビットストリームを予め先読みし蓄えておくことで復号処理におけるデータのアンダーフローの発生を抑制する。ＯＳＤ１８は、ＭＰＥＧデコードされたデジタル映像信号に文字や画像データを重畳させるための描画デバイスである。Ｄ／Ａ変換器１７は、デジタル映像信号をモニター４が表示可能なアナログ映像信号に変換する。
【００１４】
スライサー９は、放送波のＶＢＩ（Ｖｅｒｔｉｃａｌ  Ｂｌａｎｋｉｎｇ  Ｉｎｔｅｒｖａｌ）に重畳されたＥＰＧの抽出を行う。リモコンＩ／Ｆ１６は、リモコン３からの制御信号を受け、ＣＰＵ１０に伝える。ＣＰＵ１０は、推奨番組抽出装置１の制御を行うと共に、各種データの変換処理等も行う。また、ＣＰＵ１０には、電源供給状態で情報を記録しておくことのできる揮発性メモリ１３と、電源が落とされた状態でも情報を記録しておくことができ、次回の起動時に記録しておいた情報を読み出すことが可能な不揮発性メモリ１９が接続されている。不揮発性メモリ１９には、受信したＥＰＧデータや、推奨番組や、過去に録画された番組の放送開始時刻やジャンル等の番組属性情報を記録する。
【００１５】
図２は、実施の形態１に係る推奨番組抽出装置を示す機能ブロック図である。図２に示されるように、実施の形態１に係る推奨番組抽出装置は、放送番組属性情報供給手段５１と、記録番組・ユーザー特定情報記憶手段５２と、記録番組属性情報抽出手段５３と、推奨番組抽出手段５４と、抽出結果表示手段５５と、ユーザーを特定（又は識別）するためのユーザー特定手段９３とを有する。
【００１６】
放送番組属性情報供給手段５１は、放送番組に関する各種の番組属性情報（後述する図３に一例を示す。）を取得し、保持し、ＣＰＵ１０に供給する。番組属性情報は、放送番組を特定する情報と、番組の種別（ジャンル）や番組名のような放送番組の性質（属性）を示す情報とを含む。放送番組属性情報供給手段５１が取得する番組属性情報は、放送電波により受信されたデータ、通信回線（インターネット等）を経由して受信されたデータ、及び、情報記録媒体から読み取られたデータのいずれであってもよい。番組属性情報は、例えば、放送番組の放送年月日、種別、番組名、放送開始時刻、放送終了時刻、チャンネル、及び出演者の中の一つ以上の情報を含む。また、送番組属性情報供給手段５１により供給される番組属性情報には、放送番組の内容の解説情報に含まれる特定の単語（例えば、製作会社名、国名、映画監督名、製作年度）等の上記以外の情報を含めてもよい。なお、実施の形態１においては、番組属性情報は、放送番組の放送年月日、種別、番組名、放送開始時刻、放送終了時刻、チャンネル、及び出演者の情報から構成されている。また、図２に示される放送番組属性情報供給手段５１の機能は、例えば、図１におけるＴＶチューナ５、スライサー９、ＣＰＵ１０、及び不揮発性メモリ１９によって達成される。
【００１７】
記録番組・ユーザー特定情報記憶手段５２は、過去に情報記録媒体に記録（テレビ放送の録画であるが、ラジオ放送の録音も含まれる。）した記録番組とこの記録番組に関連付けられたユーザーとを特定する記録番組・ユーザー特定情報（後述する図４に一例を示す。）を記憶する。記録番組・ユーザー特定情報は、例えば、過去に記録した記録番組の放送年月日、放送開始時刻、放送終了時刻、チャンネル、及びユーザーを特定する情報を含む。図２に示される記録番組・ユーザー特定情報記憶手段５２の機能は、例えば、図１におけるＣＰＵ１０及び不揮発性メモリ１９によって達成される。
【００１８】
記録番組属性情報抽出手段５３は、ユーザー特定手段９３により特定されたユーザーについての記録番組・ユーザー特定情報を記録番組・ユーザー特定情報記憶手段５２から読み出し、読み出された記録番組・ユーザー特定情報により特定される放送番組に関する各種の番組属性情報を放送番組属性情報供給手段５１から抽出する。図２に示される記録番組属性情報抽出手段５３の機能は、例えば、図１におけるＣＰＵ１０、不揮発性メモリ１９、及び揮発性メモリ１３によって達成される。
【００１９】
推奨番組抽出手段５４は、放送予定の各番組について、記録番組属性情報抽出手段５３により抽出された番組属性情報の出現回数に基づくポイント“ｈ”を用いて推奨値を算出し（後述する図６〜図９において説明する。）、推奨値が所定の条件を満たす番組を推奨番組として抽出する。また、実施の形態１においては、推奨番組抽出手段５４が、予め決められた重み付け係数“ｗ”を保持し、ポイント“ｈ”と重み付け係数“ｗ”に基づいて推奨値の算出を実行する。図２に示される記録番組属性情報抽出手段５３の機能は、例えば、図１におけるＣＰＵ１０、不揮発性メモリ１９、及び揮発性メモリ１３によって達成される。
【００２０】
ユーザー特定手段９３は、例えば、ユーザーを特定するユーザー番号の入力手段を含む。図２に示されるユーザー特定手段９３の機能は、例えば、ＣＰＵ１０と、推奨番組抽出装置本体に装備された操作部２０とによって達成される。
【００２１】
抽出結果表示手段５５は、推奨番組抽出手段５４により抽出された抽出結果を、例えば推奨番組抽出装置本体に装備された液晶表示部（図示せず）に表示する部分である。また、抽出結果表示手段５５は、推奨番組抽出手段５４により抽出された抽出結果を、推奨番組抽出装置に接続されたモニター４に表示させる回路であってもよい。モニター４に抽出結果を表示させる場合、図２に示される抽出結果表示手段５５の機能は、例えば、図１におけるＣＰＵ１０、ＯＳＤ１８、及びＤ／Ａ変換器１７によって達成される。
【００２２】
図３は、実施の形態１に係る推奨番組抽出装置の放送番組属性情報供給手段５１から供給される番組属性情報の一例を示す図である。図３に示されるように、放送番組属性情報供給手段５１から供給される番組属性情報は、例えば、番組属性情報供給リスト５６に示した各種情報を含んでいる。番組属性情報は、番組の放送年月日（リスト５６における列５７）、番組のジャンルを示す種別（リスト５６における列５８）、番組名（リスト５６における列５９）、番組の放送開始時刻（リスト５６における列６０）、番組の放送終了時刻（リスト５６における列６１）、番組を放送するチャンネル（リスト５６における列６２）、及び番組の出演者（リスト５６における列６３）の各情報により構成されている。
【００２３】
図４は、実施の形態１に係る推奨番組抽出装置の記録番組・ユーザー特定情報記憶手段５２に記憶される記録番組・ユーザー特定情報の一例を示す図である。図４に示されるように、記録番組・ユーザー特定情報記憶手段５２から供給される記録番組・ユーザー特定情報は、例えば、録画情報リスト６４に示した各種情報を含んでいる。録画情報リスト６４は、ユーザーが過去に録画を行った番組の録画履歴を示すリストであって、ユーザーが録画した年月日（リスト６４における列６５）、録画開始時刻（リスト６４における列６６）、録画終了時刻（リスト６４における列６７）、録画チャンネル（リスト６４における列６８）、ユーザーを特定するユーザー番号（リスト６４における列６８ａ）の各情報により構成されている。
【００２４】
図５は、実施の形態１に係る推奨番組抽出装置の記録番組属性情報抽出手段５３により抽出された番組属性情報の一例（ある１ユーザーの録画番組情報抽出リスト６９）を示す図である。図５に示されるように、録画番組情報抽出リスト６９は、番組の種別毎の録画回数を示すリスト７０、番組名毎の録画回数を示すリスト７１、番組開始時刻毎の録画回数を示すリスト７２、録画したチャンネル毎の録画回数を示すリスト７３、出演者毎の録画回数を示すリスト７４により構成されている。ここで、各リスト７０〜７４は、予め設定された期間（例えば、直近の１カ月間）又は予め設定した録画回数（例えば、直近の１００回）という録画番組情報抽出期間又は録画回数を設定し、予め設定した録画番組情報抽出期間内又は予め設定した録画回数に達するまでにユーザーが録画したすべての番組について、番組の種別や番組名等の各種の条件に該当する録画回数をカウントした結果に基づいて生成されたものである。
【００２５】
図６は、実施の形態１に係る推奨番組抽出装置の推奨番組抽出手段５４による推奨番組抽出処理を説明するための図である。また、図７は、実施の形態１に係る推奨番組抽出装置の推奨番組抽出手段５４により用いられる録画回数の順位とポイントとの対応表の一例を示す図である。また、図８及び図９はそれぞれ、実施の形態１に係る推奨番組抽出装置の推奨番組抽出手段５４による総合推奨値の求め方の一例を説明するための図である。
【００２６】
図６に示される推奨設定リスト７５は、条件別録画回数（リスト７５の列７６）と、ポイント“ｈ”（リスト７５の列７７）と、推奨値“ｈ×ｗ”（リスト７５の列７８）により構成されている。条件別録画回数（リスト７５の列７６）は、図５に示される録画番組情報抽出リスト６９内の種別リスト７０に基づく回数である。図６に示されるポイント“ｈ”（リスト７５の列７７）は、図７の対応表に基づき与えられたポイントである。図７に示されるように、実施の形態１においては、録画回数の順位（例えば、種別、番組名、開始時刻、チャンネル、出演者について）が第１位の場合には７ポイント、第２位の場合には６ポイント、第３位の場合には５ポイント、のように、順位ごとにポイントを１ポイントずつ変えている。ただし、順位毎にポイントを２ポイント以上変えてもよく、また、順位毎にポイントを任意に設定してもよい。図６に示される推奨値“ｈ×ｗ”（リスト７５の列７８）は、ポイント“ｈ”に、推奨番組を設定する際の優先度を決めるために、番組の種別（図５のリスト７０）、番組名（図５のリスト７１）、開始時刻（図５のリスト７２）、チャンネル（図５のリスト７３）、出演者（図５のリスト７４）という条件に対して重み付けを行う値（重み付け係数）“ｗ”を、掛け合わせた値である。各項目の重み付け係数“ｗ”は、０≦ｗ≦１を満足する任意の値である。図６は、各項目について重み付け係数“ｗ”を０．８にした場合を示しているが、各項目毎に重み付け係数が異なる場合もある。
【００２７】
重み付け係数“ｗ”は、図５の録画番組情報抽出リスト６９に示された各項目である「種別」、「番組名」、「開始時刻」、「チャンネル」、「出演者」のそれぞれに対して予め設定される。重み付け係数“ｗ”は、図５の録画番組情報抽出リスト６９に示された各項目である「種別」、「番組名」、「開始時刻」、「チャンネル」、「出演者」のいずれに重点を置いて推奨番組を抽出するかを決めるための係数である。例えば、「出演者」に最も重点をおいて推奨番組を抽出する場合には、「出演者」の重み付け係数“ｗ”を他の項目より大きな値（１に近い値）に設定する。また、例えば、「開始時刻」や「チャンネル」が重要な項目ではない場合には、「開始時刻」や「チャンネル」の重み付け係数“ｗ”を比較的小さな値（０に近い値）に設定する。
【００２８】
上記のように、過去に録画された番組に対して種別ごとに統計処理が行われ、図６に示した推奨設定リスト７５が作られる。次に、その統計処理結果を使って、放送される予定の番組に対して総合推奨値を算出する。例えば、図８及び図９に示されるように、放送される予定の番組情報を放送番組属性情報供給手段５１より取得し、その番組に対して各条件毎にポイント“ｈ”（図８の表の行７９）を求め、重み付け係数“ｗ”（図８の表の行８０）を用いて推奨値“ｈ×ｗ”（図８の表の行８１）を求め、推奨値“ｈ×ｗ”を集計し、この集計値を総合推奨値（図８の欄８２）として算出する。図８は図３に示す番組情報供給リスト５６における番組「ＥＥＥ」についての総合推奨値の算出例を示し、図９は図３に示す番組情報供給リスト５６における番組「ＦＦＦ」についての総合推奨値の算出例を示している。
【００２９】
図１０は、実施の形態１に係る推奨番組抽出装置の抽出結果表示手段５５の動作を説明するための図である。推奨番組抽出手段５４において、それぞれの番組に対して総合推奨値が算出され、総合推奨値が予め設定した値以上になった番組を抽出し、その結果を抽出結果表示手段５５によってリスト化して表示する。例えば、図１０に示した推奨番組抽出リスト８７のように表示される。なお、推奨番組抽出リスト８７は、年月日（リスト８７の列８８）、番組名（リスト８７の列８９）、開始時刻（リスト８７の列９０）、終了時刻（リスト８７の列９１）、チャンネル（リスト８７の列９２）の項目で構成される。
【００３０】
次に、実施の形態１に係る推奨番組抽出装置による推奨番組抽出の動作を説明する。まず、図２に示されるユーザー特定手段９３は、入力されたユーザー番号に基づいてユーザーを特定（識別）する。次に、記録番組・ユーザー特定情報記憶手段５２は、特定されたユーザーについて過去に録画したことのある番組の録画履歴の記憶を行う。その録画履歴の一例が、図４に示される録画情報リスト６４であり、このリスト６４は、ユーザーが録画を実施した年月日、録画開始時刻、録画終了時刻、及び録画チャンネルの各情報を含む。例えば、ユーザーが予約録画を設定する際には、録画すべき番組の放送年月日、録画開始時刻、録画終了時刻、録画チャンネル、及びユーザー特定情報を設定をする必要があり、これらの設定項目を推奨番組抽出装置が備える不揮発性メモリ（図１の符号１９）に保持しておくことによって録画履歴を記憶しておくことが可能になる。また、予約録画ではなくユーザーが推奨番組抽出装置の録画ボタンを押下するなどして録画を開始し、停止ボタンを押下するなどして録画を停止したような録画操作を行った場合は、推奨番組抽出装置に内蔵された図示しない時計により、録画を行った年月日と録画開始時刻と終了時刻を知ることができ、また、このときのチューナの選局状態から録画されたチャンネルを知ることができる。よって、このような録画がなされた場合も、録画年月日、録画を開始した時刻、終了した時刻、録画したチャンネル情報を上記不揮発性メモリに保持しておくことにより、過去に録画した履歴として記憶しておくことが可能である。
【００３１】
次に、記録番組属性情報抽出手段５３は、放送番組属性情報供給手段５１により供給される図３に示される番組属性情報供給リスト５６、及び記録番組・ユーザー特定情報記憶手段５２により検出される図４に示される録画情報リスト６４を照合し、ユーザーが過去に録画したものは放送番組属性情報供給手段５１により供給された番組情報の中のどれであるのかを判断する。図３に示される番組属性情報供給リスト５６と図４に示される録画情報リスト６４を比較すると、ユーザー‘１’に関連付けられた録画番組は、２００３年２月１５日の２１時〜２２時に録画されたチャンネル「８」のドラマ「番組名：ＡＡＡ」と、２００３年２月１５日の２２時〜２２時３０分に録画されたチャンネル「８」のニュース「番組名：ＢＢＢ」と、２００３年２月１７日の１８時３０分〜１９時に録画されたチャンネル「４」の音楽「番組名：ＣＣＣ」と、２００３年３月５日の２０時〜２０時３０分に録画されたチャンネル「１９」の教育「番組名：ＦＦＦ」であることがわかる。
【００３２】
図４においては、番組情報供給リスト５６の開始・終了時刻と、録画情報リスト６４の開始・終了時刻が一致する場合を示したが、開始・終了時刻は必ずしも一致しているわけではない。番組情報供給リスト５６の開始・終了時刻と、録画情報リスト６４の開始・終了時刻が一致していない場合は、番組情報供給リスト５６中の番組の一部のみを録画している場合と、複数の番組を一度に録画している場合が存在する。番組の一部のみを録画している場合は、例えば、その番組の放送時間の５０％以上の時間を録画している場合は録画該当番組とみなし、放送時間の５０％未満の時間を録画している場合は録画該当番組とみなさない、などの判断を行う。また、連続して放送される複数の番組を連続的に録画した場合は、複数の番組のそれぞれを録画該当番組とみなす、などの判断を行う。
【００３３】
そして、次に、上記録画該当番組について、番組情報供給リスト５６から番組属性情報の抽出を行い、図５に示される録画番組情報抽出リスト６９を生成する。録画番組情報抽出リスト６９は、上記録画該当番組から種別、番組名、番組開始時刻、チャンネル、出演者という条件別に、予め設定した期間内（例えば、直近の１カ月間）又は予め設定した録画回数（例えば、直近の１００回）に達するまで、それぞれの条件に該当する録画が何回行われたかという条件別録画回数をカウントした結果に基づいて生成される。録画番組情報抽出リスト６９において、開始時間７２は、例えば、録画を開始した時間が２０時から２０時５９分５９秒までの間であれば、２０時００分００秒に開始したとしてカウントされる。例えば、図３に示した番組（番組名「ＢＢＢ」）については、種別としてのニュースにカウントを１加算し、番組名として番組名「ＢＢＢ」にカウントを１加算し、開始時刻として２２時００分にカウントを１加算し、チャンネル「８」にカウントを１加算し、出演者として出演者「ｂｂ」にカウントを１加算する。このような処理を、予め設定した期間内又は予め設定した録画回数に達するまでに録画されたすべての番組に対して実行する。なお、以上の説明においては、番組開始時間を１時間単位で扱う場合を説明したが、例えば、１０分、１５分、３０分単位のようにより細かい単位で扱うようにしてもよく、逆に、２時間、３時間、半日単位のようにより粗い単位で扱うようにしてもよい。
【００３４】
次に、推奨番組抽出手段５４は、記録番組属性情報抽出手段５３において生成された図５に示される録画番組属性情報抽出リスト６９について、図６に示されるように、抽出された条件別録画回数７６について統計的な処理を行い、放送される番組に対して録画する推奨番組を抽出する。
【００３５】
まず、番組の種別７０に着目し、条件別録画回数７６に対してポイント“ｈ”（図６のリスト７５の列７７）を求める。ポイント“ｈ”は、例えば、図７に示されるように、録画回数の順位に基づいて決定する。例えば、ニュースであれば、図６に示した例では、録画回数が第１位であるので、ポイント“ｈ”の値は７となる。これにより、過去により多くの回数録画された種別には高いポイントが与えられる。図６では、種別７０についてのみ示したが、番組名、開始時刻、チャンネル、及び出演者という条件に対しても同様にしてそれぞれのポイントを求める。これら他の条件に対しても、図７に示したように、録画回数の順位によってそれぞれのポイント“ｈ”が決まる。
【００３６】
次に、録画推奨を設定する際の優先度を決めるための重み付け係数“ｗ”を上記ポイント“ｈ”と掛け合わせた値である推奨値“ｈ×ｗ”（リスト７５の列７８）を求める。ただし、０≦ｗ≦１とする。図６においては、ニュース、ドラマ、映画、音楽、アニメ、バラエティ、教育等の項目を含む種別という条件についての録画推奨設定リスト７５を、例として示したが、番組名、開始時刻、チャンネル、出演者等の条件について同様に推奨値を求め、推奨設定リスト７５を生成する。これらは、それぞれの項目をどれだけ重要視し、推奨番組の抽出に反映させるかの程度を決定するための統計処理である。図６に示した例においては、番組の種別は比較的重要な条件であると判断し、ｗ＝０．８と比較的大きな値に設定した。例えば、出演者については非常に大切な条件であるため、強い推奨値したほうがよいと考えられるため、例えば、ｗ＝０．９という大きな値を設定し、チャンネルについてはそれほど重要な条件ではないと考えて、例えば、ｗ＝０．３というような小さな値に設定しておくこととなる。
【００３７】
さらに、推奨番組抽出手段５４は、上記方法で求められた推奨設定リスト７５に基づき、放送される番組に対して、以下に説明する総合推奨値を求める。この総合推奨値が大きければ、録画推奨する度合いが高い番組であると判断する。
【００３８】
放送番組属性情報供給手段５１により供給される番組情報である図３に示される番組属性情報供給リスト５６において、放送される予定の番組「ＥＥＥ」及び番組「ＦＦＦ」を例として、総合推奨値の求め方を説明する。ここでは予め決めた重み付け“ｗ”の値として、種別については“０．８”、番組名については“０．８”、開始時刻については“０．４”、チャンネルについては“０．３”、出演者については“０．９”と設定しておくものとする。なお、重み付け係数“ｗ”の値は、０≦ｗ≦１を満たす値であれば上記意外の値であってもよい。さらに、重み付け係数“ｗ”の値を大きく設定した種別、番組名、出演者に対する“ｗ”の値を小さく設定し、開始時刻、チャンネルの重みづけ“ｗ”の値を大きな値に設定してもよい。また、重み付け係数“ｗ”をユーザーにより変更可能に構成してもよい。
【００３９】
番組「ＥＥＥ」については、図８に示されるように、種別「ニュース」、番組名「ＥＥＥ」、開始時刻「１９：００」、チャンネル「６」、出演者「ｅｅ」であるので、図４、図５、及び図６で説明した上述の処理により、推奨値を求めることができる。番組「ＥＥＥ」の推奨値は、種別「ニュース」については“５．６”、番組名「ＥＥＥ」については“３．２”、開始時刻「１９：００」については“２．０”、チャンネル「６」については“１．５”、出演者「ｅｅ」については“０”となる。これら推奨値を合計した値が、総合推奨値である。よって、番組「ＥＥＥ」の総合推奨値は、図８に示されるように、“１２．３”となる。同様にして、番組「ＦＦＦ」の総合推奨値は、図９に示されるように、“５．５”となる。
【００４０】
録画（又は視聴）の推奨番組に該当するか否かの判断は、上記のようにして算出した総合推奨値の大きさに基づいて行う。例えば、この判断を行う基準値を“１０．０”に設定した場合、算出された総合推奨値とこの基準値とを比較し、基準値以上の総合推奨値を有する番組「ＥＥＥ」は推奨番組とし、基準値未満の総合推奨値を有する番組「ＦＦＦ」は推奨番組としない。このようにして、放送される予定の番組に対して総合推奨値を求め、これが上記基準値以上となった番組を推奨番組抽出手段５４において、抽出することで推奨番組を決定する。
【００４１】
上記方法によって抽出された番組は、抽出結果表示手段５５によって表示される。例えば、図１０に示したようなリスト８７として抽出された番組が表示される。リスト８７は、抽出された番組の放送年月日（リスト８７の列８８）、番組名（リスト８７の列８９）、開始時刻（リスト８７の列９０）、終了時刻（リスト８７の列９１）、チャンネル（リスト８７の列９２）である。ユーザーは、この表示から録画したい番組を選択し、録画予約設定をすることができる。こうして録画予約設定された番組は、その番組の開始日時になると放送番組を受信し、テープやディスク等の各種情報記録媒体に記録される。また、抽出された推奨番組を自動的に録画予約するように構成してもよい。
【００４２】
以上に説明したように、実施の形態１に係る推奨番組抽出装置によれば、複数のユーザーが番組を記録するための１台の装置を共用している場合であっても、放送予定の番組の中から推奨される番組をユーザー別に抽出して提供することができ、ユーザーは利用価値の高い推奨番組を利用することができる。
【００４３】
なお、上記説明においては、推奨番組抽出装置がテレビ放送の録画装置又はその一部である場合を説明したが、推奨番組抽出装置はラジオ放送の録音装置又はその一部であってもよい。また、推奨番組抽出装置は、録画装置又は録音装置に制御配線で接続される独立した装置であってもよい。
【００４４】
実施の形態２．
図１１は、本発明の実施の形態２に係る推奨番組抽出装置１ａの構成を概略的に示すブロック図である。図１１において、図１の構成と同一又は対応する構成には同じ符号を付す。実施の形態２に係る推奨番組抽出装置１ａは、ユーザー特定手段（図２の符号９３）がリモコン３１に備えられたユーザー特定用の専用キー又はテンキー３１ａである点が、ユーザー特定手段（図２の符号９３）が装置本体に備えられた操作部（図１の符号２０）である上記実施の形態１に係る推奨番組抽出装置１と相違する。
【００４５】
実施の形態２におけるリモコン３１に備えられたテンキー３１ａは、例えば、チャンネル選択用のボタンであってもよい。ユーザーは、ユーザーを特定するユーザー番号をリモコン３１の専用キー又はテンキー３１ａを用いて入力する。リモコン３１から入力された情報は、リモコン３１から送信され、リモコンＩ／Ｆ１６で受信され、ＣＰＵ１０に入力される。ＣＰＵ１０は、入力されたユーザー番号を用いて、上記実施の形態１の場合と同様の処理を実行する。
【００４６】
実施の形態２に係る推奨番組抽出装置１ａを用いれば、ユーザーによるユーザー番号入力操作をリモコン３１を用いて行うので、装置本体の操作部を用いる場合に比べ、ユーザーの操作上の負担を軽減することができる。
【００４７】
なお、実施の形態２において、上記以外の点は、上記実施の形態１の場合と同じである。
【００４８】
実施の形態３．
図１２は、本発明の実施の形態３に係る推奨番組抽出装置１ｂの構成を概略的に示すブロック図である。図１２において、図１の構成と同一又は対応する構成には同じ符号を付す。実施の形態３に係る推奨番組抽出装置１ｂは、ユーザー特定手段（図２の符号９３）が指紋認証手段である点が、ユーザー特定手段（図２の符号９３）が装置本体に備えられた操作部（図１の符号２０）である上記実施の形態１に係る推奨番組抽出装置１と相違する。
【００４９】
実施の形態３における指紋認証手段は、予めユーザーの指紋情報を取得し登録ユーザー情報として保持している記憶手段（例えば、図１２の不揮発性メモリ１９又はＨＤＤ１２等）と、ユーザーの指紋を光学的に読み取るための指紋読取部３２ａを有するリモコン３２と、リモコン３２から送信されたユーザーの指紋情報を受信するリモコンＩ／Ｆ１６と、登録ユーザー情報と受信した指紋情報とを比較してユーザーを特定（判別）するＣＰＵ１０とから構成される。ただし、指紋読取部３２ａは、装置本体のように、リモコン３２以外の位置に備えてもよい。リモコン３２で入力された指紋情報は、リモコン３１から送信され、リモコンＩ／Ｆ１６で受信され、ＣＰＵ１０に入力される。ＣＰＵ１０は、指紋情報を登録ユーザー情報と照合することによって、ユーザーを識別し、その後、上記実施の形態１の場合と同様の処理を実行する。
【００５０】
実施の形態３に係る推奨番組抽出装置１ｂを用いれば、ユーザーによるユーザー特定情報の入力操作を指紋読取部３２ａに指を置くという簡単な操作に置き換えることができるので、ユーザーの操作上の負担を軽減することができる。
【００５１】
なお、実施の形態３において、上記以外の点は、上記実施の形態１又は２の場合と同じである。
【００５２】
実施の形態４．
図１３は、本発明の実施の形態４に係る推奨番組抽出装置１ｃの構成を概略的に示すブロック図である。図１３において、図１の構成と同一又は対応する構成には同じ符号を付す。実施の形態４に係る推奨番組抽出装置１ｃは、ユーザー特定手段（図２の符号９３）が人物認証手段である点が、ユーザー特定手段（図２の符号９３）が装置本体に備えられた操作部（図１の符号２０）である上記実施の形態１に係る推奨番組抽出装置１と相違する。
【００５３】
実施の形態４における人物認証手段は、予めユーザーの特徴情報（例えば、顔の輪郭・配置等の特徴、又は、目の虹彩等の特徴等）を取得し登録ユーザー情報として保持している記憶手段（例えば、図１２の不揮発性メモリ１９又はＨＤＤ１２等）と、ユーザーを撮影するため、例えば、モニター４の上部に取り付けられたカメラ２０と、カメラ２０により撮影されたユーザーの映像情報に映像信号処理を施すことによって取得された特徴情報を登録ユーザー情報と比較してユーザーを特定（識別）するＣＰＵ１０とから構成される。なお、カメラ２０は、他の位置に備えてもよい。ＣＰＵ１０は、ユーザーの特徴情報に基づいてユーザーを識別し、その後、上記実施の形態１の場合と同様の処理を実行する。
【００５４】
実施の形態４に係る推奨番組抽出装置１ｃを用いれば、ユーザーがモニター４の前に座り、自身を撮影させるだけでユーザー特定を行うことが可能になるので、ユーザーの操作上の負担を軽減することができる。
【００５５】
なお、実施の形態４において、上記以外の点は、上記実施の形態１から３までの場合と同じである。
【００５６】
実施の形態５．
図１４は、本発明の実施の形態５に係る推奨番組抽出装置１ｄの構成を概略的に示すブロック図である。図１４において、図１の構成と同一又は対応する構成には同じ符号を付す。実施の形態５に係る推奨番組抽出装置１ｄは、ユーザー特定手段（図２の符号９３）が、複数のユーザーアイコンから自分に相当するアイコンを選択しユーザーの確定を行う構成である点が、ユーザー特定手段（図２の符号９３）が装置本体に備えられた操作部（図１の符号２０）である上記実施の形態１に係る推奨番組抽出装置１と相違する。
【００５７】
実施の形態５においては、推奨番組抽出装置１ｄの本体の電源起動を行った際に、先ずモニター４の画面に任意の数のユーザーアイコン３４が表示される。推奨番組抽出装置１ｄを使用しようとするユーザーは、例えば、リモコン３の矢印キー（図示せず）及び決定キー（図示せず）等を用いて（推奨番組抽出装置１ｄがＰＣである場合には、例えば、マウスを用いて）、複数のユーザーアイコンからユーザー自身に相当するアイコンを選択しユーザーの確定を行う。ＣＰＵ１０は、ユーザーを識別した後、上記実施の形態１の場合と同様の処理を実行する。
【００５８】
実施の形態５に係る推奨番組抽出装置１ｄを用いれば、ユーザーがモニター４の画面を見ながらアイコンを選択するという簡単な操作によってユーザー特定を行うことが可能になるので、ユーザーの操作上の負担を軽減することができる。
【００５９】
なお、実施の形態５において、上記以外の点は、上記実施の形態１から４までの場合と同じである。
【００６０】
実施の形態６．
図１５は、本発明の実施の形態６に係る推奨番組抽出装置の機能ブロック図である。図１５において、図２の構成と同一又は対応する構成には同じ符号を付す。実施の形態６に係る推奨番組抽出装置は、ユーザー特定手段により特定されたユーザーを変更するユーザー訂正手段９４をさらに有する点が、上記実施の形態１に係る推奨番組抽出装置と相違する。
【００６１】
上記実施の形態１で説明したユーザー特定手段９３は、予約録画を設定する際にユーザー選択設定を行うことを前提としている。しかし、録画予約設定時に異なるユーザーが設定されていたり、全くユーザー指定がされていなかったりした場合も考えられる。このような場合には、再生操作の段階でユーザー特定情報を訂正又は設定できることが望ましい。ユーザー訂正手段９４は、既に録画されている番組を再生操作する段階において、ユーザー特定情報を訂正又は設定するために使用される。ユーザー訂正手段９４は、上記実施の形態１から５までにおけるユーザー特定手段９３の操作及び処理と同様の操作又は処理を再生操作段階で行う手段である。
【００６２】
実施の形態１ではユーザー特定手段として、予約録画設定時に現在使用しているユーザーがユーザー番号を指定することにより、予約録画番組とユーザー番号の関連付けを行っていた。しかし、予約録画設定時に現在使用しているユーザーがユーザー番号を間違って指定したり、又は、ユーザー番号指定を行わなかったりすることがあり、このような場合には、ユーザーにとって必要とする抽出結果が得られなくなる恐れがある。これらのことを回避するために、再生操作上で使用されるユーザー訂正手段９４を設け、予約録画番組とユーザー番号の関連付けが違った場合の補正手段として用いる。実際の操作としては、現在使用しているユーザーが再生操作を行う際に、再生しようとする番組に対して再度ユーザー番号を指定し直す操作である。これにより、番組とユーザー番号の関連付けが何度でも再指定できることになり、番組とユーザーとの関連付けがより適切になるので、抽出された推奨番組の信頼性が向上する。
【００６３】
なお、実施の形態６において、上記以外の点は、上記実施の形態１から５までの場合と同じである。
【図面の簡単な説明】
【００６４】
【図１】本発明の実施の形態１に係る推奨番組抽出装置の構成を概略的に示すブロック図である。
【図２】本発明の実施の形態１〜５に係る推奨番組抽出装置の機能ブロック図である。
【図３】本発明の実施の形態１〜６に係る推奨番組抽出装置の放送番組属性情報供給手段から供給される番組属性情報（番組属性情報供給リスト）の一例を示す図である。
【図４】本発明の実施の形態１〜６に係る推奨番組抽出装置の記録番組・ユーザー特定情報記憶手段に記憶される記録番組・ユーザー特定情報（録画情報リスト）の一例を示す図である。
【図５】本発明の実施の形態１〜６に係る推奨番組抽出装置の記録番組属性情報抽出手段により抽出された番組属性情報の一例を示す図である。
【図６】本発明の実施の形態１〜６に係る推奨番組抽出装置の推奨番組抽出手段による推奨番組決定処理を説明するための図である。
【図７】本発明の実施の形態１〜６に係る推奨番組抽出装置の推奨番組抽出手段により用いられる録画回数の順位とポイントとの対応表の一例を示す図である。
【図８】本発明の実施の形態１〜６に係る推奨番組抽出装置の推奨番組抽出手段による総合推奨値の求め方の一例を説明するための図である。
【図９】本発明の実施の形態１〜６に係る推奨番組抽出装置の推奨番組抽出手段による総合推奨値の求め方の他の例を説明するための図である。
【図１０】本発明の実施の形態１〜６に係る推奨番組抽出装置の抽出結果表示手段により表示された推奨番組のリストの一例を示す図である。
【図１１】本発明の実施の形態２に係る推奨番組抽出装置の構成を概略的に示すブロック図である。
【図１２】本発明の実施の形態３に係る推奨番組抽出装置の構成を概略的に示すブロック図である。
【図１３】本発明の実施の形態４に係る推奨番組抽出装置の構成を概略的に示すブロック図である。
【図１４】本発明の実施の形態５に係る推奨番組抽出装置の構成を概略的に示すブロック図である。
【図１５】本発明の実施の形態６に係る推奨番組抽出装置の機能ブロック図である。
【符号の説明】
【００６５】
１，１ａ，１ｂ，１ｃ，１ｄ  推奨番組抽出装置、  ２  アンテナ、  ３  リモコン、  ４  モニター、  ５  ＴＶチューナ、  ６  Ａ／Ｄ変換器、  ７  ＭＰＥＧエンコーダ、  ８  記録用バッファ、  ９  スライサー、  １０  ＣＰＵ、  １１  ＨＤＤコントローラ、  １２  ＨＤＤ、  １３  揮発性メモリ、  １４  ＭＰＥＧデコーダ、  １５  読み出し用バッファ、  １６  リモコンＩ／Ｆ、  １７  Ｄ／Ａ変換器、  １８  ＯＳＤ、  １９  不揮発性メモリ、  ２０  操作部、  ３１，３２  リモコン、  ３１ａ  テンキー、  ３２ａ  指紋読取部、  ３３  カメラ、  ５１  放送番組属性情報供給手段、  ５２  記録番組・ユーザー特定情報記憶手段、  ５３  記録番組属性情報抽出手段、  ５４  推奨番組抽出手段、  ５５  抽出結果表示手段、  ９３  ユーザー特定手段、  ９４  ユーザー訂正手段。
【図１】
2006191273.tif 000003
【図２】
2006191273.tif 000004
【図３】
2006191273.tif 000005
【図４】
2006191273.tif 000006
【図５】
2006191273.tif 000007
【図６】
2006191273.tif 000008
【図７】
2006191273.tif 000009
【図８】
2006191273.tif 000010
【図９】
2006191273.tif 000011
【図１０】
2006191273.tif 000012
【図１１】
2006191273.tif 000013
【図１２】
2006191273.tif 000014
【図１３】
2006191273.tif 000015
【図１４】
2006191273.tif 000016
【図１５】
2006191273.tif 000017